(57)【要約】【課題】安価で簡便な手法により、蛍光インキ層に割れやシワが発生することなく蛍光色を発現し意匠性の高いプラスチックラベルを提供する。【解決手段】ラベル１０は、ラベル基材１１と、ラベル基材１１上に形成された蛍光インキ層１２と、ラベル基材１１上に形成されたカラーインキ層１３とを備える。カラーインキ層１３は、蛍光インキ層１２が形成された領域の裏面側に重なって形成され、蛍光インキ層１２の蛍光色とカラーインキ層１３の反射色とが、互いに同系色である。【選択図】図１
2014038283.tif 000002
【特許請求の範囲】
【請求項１】
ラベル基材と、
前記ラベル基材上に形成された蛍光インキ層と、
前記ラベル基材上に形成された非蛍光カラーインキ層と、
を備え、
前記非蛍光カラーインキ層は、前記蛍光インキ層が形成された領域の裏面側に重なって形成され、
前記蛍光インキ層の蛍光色と前記非蛍光カラーインキ層の反射色とが、互いに同系色であることを特徴とするプラスチックラベル。
【請求項２】
請求項１に記載のプラスチックラベルにおいて、
前記蛍光インキ層は、前記ラベル基材の表面側に形成され、
前記非蛍光カラーインキ層は、前記ラベル基材の裏面側に形成されることを特徴とするプラスチックラベル。
【請求項３】
請求項１又は２に記載のプラスチックラベルにおいて、
前記蛍光インキ層と前記非蛍光カラーインキ層との間に、透明メジウム層が形成されることを特徴とするプラスチックラベル。
【発明の詳細な説明】
【技術分野】
【０００１】
本発明は、プラスチックラベルに関する。
【背景技術】
【０００２】
容器等の被着体に装着されるプラスチックラベルとしては、例えば、シュリンクラベル、ストレッチラベル、ストレッチシュリンクラベル、タックラベル等が用いられる。これらのプラスチックラベルには、商品名やデザイン、使用上の注意等を表示するための印刷層（デザイン印刷層）がラベル基材上に設けられる。
【０００３】
プラスチックラベルのデザイン印刷層は、通常、所望の顔料や染料等の色材を含むカラーインキを用いて形成される。かかるカラーインキに含まれる色材は、特定波長の光を吸収して、それ以外の波長の光を反射することにより発色する。一方、特定波長の光を吸収して発光する蛍光色材が知られている。近年、かかる蛍光色材を含む蛍光インキをラベルのデザイン印刷層に適用してラベルの意匠性を高めることが求められている。
【０００４】
なお、蛍光インキ層が設けられたラベルとして、特許文献１には、偽変造防止用ＩＣラベルが開示されている。
【先行技術文献】
【特許文献】
【０００５】
【特許文献１】特開２０１１‐２２７６６８号公報
【発明の概要】
【発明が解決しようとする課題】
【０００６】
ところで、プラスチックラベルの分野では、偽変造防止等の一部の用途において蛍光インキが使用されているが、一般的なデザイン印刷層に蛍光インキが適用された事例は知られていない。これは、蛍光色材の発色力が弱いことに起因する。蛍光感を高めるためには蛍光色材の濃度を上げることが考えられるが濃度消光の点から限界がある。また、蛍光インキを厚塗りする方法も考えられるが、この方法では、例えば、大幅なコスト増に繋がり、またラベルを容器等の被着体に装着する際に、蛍光インキ層に割れやシワが発生する恐れがある。
【０００７】
即ち、本発明の目的は、安価で簡便な手法により、蛍光インキ層に割れやシワが発生することなく蛍光色を発現し意匠性の高いプラスチックラベルを提供することである。
【課題を解決するための手段】
【０００８】
本発明に係るプラスチックラベルは、ラベル基材と、前記ラベル基材上に形成された蛍光インキ層と、前記ラベル基材上に形成された非蛍光カラーインキ層とを備え、前記非蛍光カラーインキ層は、前記蛍光インキ層が形成された領域の裏面側に重なって形成され、前記蛍光インキ層の蛍光色と前記非蛍光カラーインキ層の反射色とが、互いに同系色であることを特徴とする。
【０００９】
上記構成によれば、蛍光インキ層の蛍光感を損なうことなく、蛍光色の色濃度を高めることができ、また色目再現範囲（表現性）を広げることが可能となる。
【００１０】
また、前記蛍光インキ層は、前記ラベル基材の表面側に形成され、前記非蛍光カラーインキ層は、前記ラベル基材の裏面側に形成されることが好適である。
当該構成によれば、蛍光インキ層の蛍光感をさらに高めることができる。これは、蛍光インキ層を透過した光の一部が蛍光インキ層とラベル基材との界面、又はラベル基材と非蛍光カラーインキ層との界面で反射して再び蛍光インキ層に入射することに起因する。なお、反射しない光は非蛍光カラーインキ層に入射して、蛍光色の色濃度の向上、色目再現範囲の拡大に寄与する。
【００１１】
また、前記蛍光インキ層と前記非蛍光カラーインキ層との間に、透明メジウム層が形成されることが好適である。
当該構成によれば、蛍光インキ層を透過した光が透明メジウム層との界面で反射するため、蛍光インキ層の蛍光感をさらに高めることができる。
【発明の効果】
【００１２】
本発明によれば、安価で簡便な手法により、蛍光インキ層に割れやシワが発生することなく蛍光色を発現し意匠性の高いプラスチックラベルを提供することができる。
【図面の簡単な説明】
【００１３】
【図１】本発明の実施形態の一例であるプラスチックラベルを模式的に示す断面図である。
【図２】図１に例示する形態の変形例を示す断面図である。
【図３】図１に例示する形態の変形例を示す断面図である。
【図４】図１に例示する形態の変形例を示す断面図である。
【図５】図１に例示する形態の変形例を示す断面図である。
【発明を実施するための形態】
【００１４】
図面を参照しながら、本発明の実施形態の一例であるプラスチックラベル１０（以下、「ラベル１０」という）について以下詳細に説明する。
【００１５】
図１は、ラベル基材１１と、ラベル基材１１上に形成された蛍光インキ層１２と、ラベル基材１１上に形成された非蛍光カラーインキ層１３（以下、「カラーインキ層１３」という）とを備え、カラーインキ層１３は、蛍光インキ層１２が形成された領域の裏面側に重なって形成され、蛍光インキ層１２の蛍光色とカラーインキ層１３の反射色とが、互いに同系色であるラベル１０の断面構造を模式的に示す。
【００１６】
なお、蛍光色と反射色とが「同系色」とは、互いに同じ色又は類似する色であることを意味する。具体的には、２つの色が、色相環におけるそれぞれの色相が９０度差の範囲、マンセル等色相断面図におけるそれぞれの彩度が２〜１４の範囲、それぞれの明度の差が±３の範囲にあることを意味し、より好ましくは色相が７５度差の範囲、特に好ましくは色相が６０度差の範囲であり、彩度が４〜１４、明度差が±２の範囲である。
また、ラベル１０を容器等の被着体に装着（貼着を含む）したときに、被着体側を向く面がラベル１０の「裏面」であり、裏面と反対側の面（ラベル１０のデザインが視認できる側の面）がラベル１０の「表面」である。
【００１７】
図１に示すラベル１０は、ラベル基材１１の一方の面側に形成された蛍光インキ層１２と、ラベル基材１１の他方の面側に形成されたカラーインキ層１３とを備える。ラベル１０では、蛍光インキ層１２が形成された一方の面が表面、カラーインキ層１３が形成された他方の面が裏面となる。即ち、蛍光インキ層１２の裏面側には、ラベル基材１１を介してカラーインキ層１３が重ね刷りされている。この場合、ラベル基材１１は、透明であることが好ましい。
【００１８】
蛍光インキ層１２及びカラーインキ層１３は、例えば、ラベル基材１１上に油性インキ（溶剤系インキ）又は水性インキを塗工、乾燥して形成され、塗膜を構成するバインダ樹脂と、バインダ樹脂中に分散された色材と、必要により添加される添加剤とで構成されている。蛍光インキ層１２は、上記色材として、特定波長の光を吸収して発光する蛍光色材を含む。なお、蛍光には、燐光が含まれる。カラーインキ層１３は、上記色材として、特定波長の光を吸収して他の波長の光を反射する非蛍光色材を含む。
【００１９】
蛍光インキ層１２及びカラーインキ層１３により、例えば、商品名やイラスト、使用上の注意等（以下、これらを「デザイン」という）を表示するためのデザイン印刷層が構成される。蛍光インキ層１２は、デザインに応じて任意のパターンで形成することができる。そして、カラーインキ層１３は、その反射色が蛍光インキ層１２の蛍光色と同系色であり、蛍光インキ層１２が形成された領域に対応するように重ねて形成される。
【００２０】
カラーインキ層１３は、蛍光インキ層１２が形成された領域全体を裏面側から覆うように形成されることが好適である。即ち、少なくとも蛍光インキ層１２の裏には、カラーインキ層１３が存在することが好ましく、例えば、ラベル１０を平面視したときに蛍光インキ層１２のパターンとカラーインキ層１３のパターンとが重なり合う。
【００２１】
なお、カラーインキ層１３は、蛍光インキ層１２よりも広い範囲に形成されてもよい。ラベル１０は、蛍光インキ層１２とカラーインキ層１３とが重なっている領域を有していれば、例えば、蛍光インキ層１２と重なることなく、カラーインキ層１３のみで形成されるデザインを含んでいてもよい。或いは、蛍光インキ層１２をカラーインキ層１３よりも広い範囲に形成してもよく、蛍光インキ層１２のみで形成されたデザインが存在してもよい。また、本発明の目的を損なわない範囲で、蛍光インキ層１２とカラーインキ層１３とが重なる領域に、上記反射色と蛍光色とが異なる部分が形成されてもよい。
【００２２】
蛍光インキ層１２は、１種の蛍光インキを用いて形成することができる。或いは、ラベル基材１１上の領域によって複数の異なる蛍光色を発色する領域を有する形態としてもよく、例えば、デザインに応じたパターン毎に異なる色の複数種の蛍光インキを用いて蛍光インキ層１２を形成する。この場合、蛍光インキ層１２の各蛍光色のパターンに合わせて、カラーインキ層１３の反射色を調整する。具体的には、上記のように、蛍光インキ層１２の蛍光色とカラーインキ層１３の反射色とが、全てのパターンで互いに同系色となるようにカラーインキ層１３を形成することが好ましい。
【００２３】
また、ラベル１０は、蛍光インキ層１２とラベル基材１１との間に形成された透明メジウム層１４、及びラベル基材１１とカラーインキ層１３との間に形成された透明メジウム層１５を備える。透明メジウム層１４，１５は、蛍光インキ層１２の蛍光感を高める機能を有する。透明メジウム層１４，１５は、蛍光インキ層１２のパターンに対応して形成されてもよいし、ラベル基材１１上の全域に形成されてもよい。
【００２４】
また、ラベル１０は、蛍光インキ層１２の表面を覆って形成されたオーバーコート層１６、及びカラーインキ層１３の裏面を覆って形成されたオーバーコート層１７を備える。オーバーコート層１６，１７は、それぞれ蛍光インキ層１２、カラーインキ層１３を保護して、各層の傷や剥離を防止する機能を有する。オーバーコート層１６は、最表面を構成する透明な層であり、透明性を損なわない範囲で滑剤を有していてもよい。オーバーコート層１７は、最裏面を構成し、通常、被着体に装着されたときに被着体に接触するため、滑り性を改善する機能を有する（滑剤を有する）ことが好適である。また、オーバーコート層１７は、必要により色材を含み、背景印刷層として機能させることもできる。
【００２５】
ラベル１０を構成するラベル基材１１及び各層の厚みは、特に限定されないが、好適な厚みは以下の通りである。ラベル基材１１の厚みは、好ましくは１０〜１００μｍであり、より好ましくは１５〜８０μｍ、特に好ましくは２０〜６０μｍである。蛍光インキ層１２及びカラーインキ層１３の厚みは、０．３〜１０μｍが好ましく、０．５〜５μｍがより好ましい。透明メジウム層１４，１５及びオーバーコート層１６，１７の厚みは、０．１〜５μｍが好ましく、０．５〜３μｍがより好ましい。
【００２６】
図２〜図５に、図１に例示する形態と層構造が異なる他の形態を示す。ここでは、上述の各層と同じ機能を有する層には同一の符号を付して重複する説明を省略する。
【００２７】
図２に例示する形態は、透明メジウム層１４，１５が設けられていない点で図１に例示する形態と異なる。この場合も、蛍光インキ層１２のパターンに対応して、その裏側にカラーインキ層１３が重なって形成されている。
【００２８】
図３に例示する形態では、ラベル基材１１の表面上にカラーインキ層１３が形成され、カラーインキ層１３上に蛍光インキ層１２が形成されている。図１，２に例示する形態では、蛍光インキ層１２とカラーインキ層１３とがラベル基材１１を介して重なり合っているが、図３に例示する形態では、蛍光インキ層１２とカラーインキ層１３とがラベル基材１１の表面側において互いに接して形成されている。この場合も、蛍光インキ層１２のパターンに対応してカラーインキ層１３が形成されている。また、カラーインキ層１３上を含むラベル基材１１上の全域を覆ってオーバーコート層１６が形成されている。この場合、ラベル基材１１には、透明性の低い基材、例えば、白色フィルムや白色インキ層が形成された透明フィルムからなる基材を用いることができる。
【００２９】
図４に例示する形態は、蛍光インキ層１２とカラーインキ層１３との間に透明メジウム層１４が設けられている点で図３に例示する形態と異なる。この場合、蛍光インキ層１２のパターンに対応してカラーインキ層１３が形成され、蛍光インキ層１２とカラーインキ層１３との間に透明メジウム層を有するので、図３に示す形態に比して蛍光感を得ることができる。またラベル基材１１には、上記白色フィルム等からなる基材を用いることができる。
【００３０】
図５に例示する形態は、蛍光インキ層１２、カラーインキ層１３、及び透明メジウム層１４がラベル基材１１の裏面側に形成されている点で図４に例示する形態と異なる。この場合、ラベル基材１１側から順に、蛍光インキ層１２、透明メジウム層１４、カラーインキ層１３となる。また、この場合は、ラベル基材１１として透明性の高い基材を用いることが好適である。
【００３１】
なお、ラベル１０の形態は、図１〜図５に例示する形態に限定されない。例えば、図１に例示する形態において、透明メジウム層１４，１５及びオーバーコート層１６，１７の一部又は全部を設けない形態としてもよい。また、図３に例示する形態において、ラベル基材１１の裏面上に蛍光インキ層１２、カラーインキ層１３、及びオーバーコート層を設けた形態としてもよい。この場合、ラベル基材１１側から蛍光インキ層１２、カラーインキ層１３、オーバーコート層の順で形成される。また、ラベル１０の最裏面に接着層を設けてタックラベルとしてもよい。
【００３２】
さらに、ラベル１０に蛍光インキ層及びカラーインキ層以外のインキ層を設けて、デザインを形成してもよい。カラーインキ層の裏面側に背景のためのインキ層（白色等の背景印刷）を形成してもよい。
【００３３】
以下、ラベル１０の構成要素の各々について詳説する。
【００３４】
＜ラベル基材１１＞
ラベル基材１１には、例えば、熱収縮性（シュリンク特性）を有するシュリンク基材、伸縮性（ストレッチ特性）を有するストレッチ基材、熱収縮性と伸縮性とを有する所謂ストレッチシュリンク基材を用いることができる。但し、ラベル基材１１は、これに限定されず、熱収縮性や伸縮性を有さない基材、例えば、後述のシュリンク基材と同様の樹脂組成からなる基材であって延伸処理を行わない基材や延伸処理後に熱収縮しないように熱固定された基材等であってもよい。また、本発明の目的を損なわない範囲で、金属蒸着層やホログラム層、発泡樹脂層、不織布層等の他の層を有していてもよい。
【００３５】
［シュリンク基材］
シュリンク基材は、ラベル１０の強度や剛性、熱収縮特性に主たる影響を及ぼす。シュリンク基材は、特に限定されず、従来公知の樹脂フィルムを用いることができる。シュリンク基材に適用される樹脂フィルムとしては、ポリエステル系樹脂（ポリエチレンテレフタレート、ポリ（エチレン−２，６−ナフタレンジカルボキシレート）、ポリ乳酸など）、ポリオレフィン系樹脂（ポリエチレン、ポリプロピレンなど）、ポリスチレン系樹脂（スチレン−ブタジエン共重合体、スチレン−ブタジエン−イソプレン共重合体など）、ポリ塩化ビニルなどの熱可塑性樹脂から選択される１種単独又は２種以上の混合物からなるフィルムが例示できる。また、２種以上のフィルムを積層した積層フィルムであってもよい。これらのうち、柔軟性等の観点から、ポリエチレンテレフタレート系樹脂（ＰＥＴ系樹脂）、ポリスチレン系樹脂（ＰＳ系樹脂）、ポリプロピレン系樹脂（ＰＰ系樹脂）、及びこれらの積層体を用いることが好ましく、ＰＥＴ系樹脂、ＰＳ系樹脂を用いることが特に好ましい。
【００３６】
シュリンク基材は、良好な熱収縮性を発現するために、少なくとも一方向に延伸（一軸延伸）されていることが好ましい。延伸温度は、フィルムを構成する樹脂の種類によっても異なるが、例えば、７０〜１００℃の温度範囲である。延伸倍率は、例えば、フィルムの主延伸方向に２〜６倍程度であることが好ましい。主延伸方向と直交する方向の収縮、膨張を抑えるために、場合によっては、当該方向にも１．０１〜２倍程度の倍率で延伸（二軸延伸）することができる。シュリンク基材の熱収縮率は、主延伸方向に対して、２０〜８０％であることが好ましく、３０〜８０％であることが特に好ましい（加熱処理条件：９０℃の温水に１０秒間浸漬）。主延伸方向に直交する方向に対しては、好ましくは−３〜１５％、さらに好ましくは−１〜１０％、特に好ましくは−１〜５％である（加熱処理条件：同上）。延伸方式は、ロール方式、テンター方式及びチューブ方式等を使用できる。
【００３７】
［ストレッチ基材］
ストレッチ基材は、ラベル１０の強度や剛性、伸縮特性に主たる影響を及ぼす。ストレッチ基材は、特に限定されず、従来公知のストレッチフィルムを用いることができる。ストレッチ基材に適用される樹脂フィルムとしては、柔軟性の高いものが例示できる。好適な樹脂フィルムは、例えば、ポリエチレン系樹脂（低密度ポリエチレン（ＬＤＰＥ）、線状低密度ポリエチレン（ＬＬＤＰＥ）、メタロセン系触媒を用いた重合により得られるメタロセン系ＬＬＤＰＥ、エチレン‐酢酸ビニル共重合体、エチレン‐（メタ）アクリル酸エステル共重合体、エチレン‐（メタ）アクリル酸共重合体など）などの熱可塑性樹脂から選択される１種単独又は２種以上の混合物からなるフィルムである。ストレッチ基材は、シュリンク基材と同様に、積層フィルムを用いてもよい。
【００３８】
ストレッチ基材は、少なくとも一方向に対して、好ましくは２５％以上、より好ましくは４０％以上、特に好ましくは６０％以上伸張できる。そして、伸張後の残留歪み（瞬間歪み）が１０％以下であることが好ましく、９％以下であることが特に好ましい。
【００３９】
＜蛍光インキ層１２＞
蛍光インキ層１２は、従来公知の溶剤系蛍光インキ又は水性蛍光インキを用いて形成できる。これらインキは、例えば、バインダ樹脂と、蛍光色材と、任意の添加剤と、溶媒又は分散媒（以下、溶媒等という）とを含有し、バインダ樹脂や蛍光色材が溶媒等に溶解又は分散したインキである。溶媒等は、バインダ樹脂等を溶解又は分散させることができれば特に限定されない。また、蛍光インキ層１２は、グラビア印刷法、フレキソ印刷法、凸版輪転印刷法、及びインクジェット印刷法などの従来公知の印刷法により形成することができる。これらの印刷法により、ラベル基材１１上に蛍光インキを塗工した後、溶媒等を揮発除去して、バインダ樹脂と、蛍光色材と、任意の添加剤とを含む蛍光インキ層１２を形成する。
【００４０】
［バインダ樹脂］
バインダ樹脂は、蛍光インキ層１２の塗膜を形成し、蛍光色材を保持する。バインダ樹脂としては、アクリル系樹脂、ポリアクリルアミド系樹脂、ポリエチレンオキシド系樹脂、ポリＮ−ビニルピロリドン系樹脂、ポリウレタン系樹脂、ポリエステル系樹脂、ポリアミド樹脂、アミノ系樹脂、フェノール系樹脂、ポリ酢酸ビニル系樹脂、セルロース系樹脂などから選択される１種単独又は２種以上の混合物が例示できる。
【００４１】
［蛍光色材］
蛍光色材としては、従来公知の蛍光染料や蛍光顔料を用いることが可能である。蛍光染料としては、フルオレセイン系、クマリン系、ローダミン系、オキサゾール系、ピラゾリン系、チアジアゾール系、スピロピラン系、ピレンスルホン酸系、ベンゾイミダゾール系、ジアミノスチルベン系等の染料が例示できる。蛍光顔料としては、例えば、ポリ塩化ビニル樹脂、アルキド樹脂、ポリメタクリル酸エステル樹脂、ユリア樹脂、メラミン樹脂等にフルオレセイン系、ローダミン系等の蛍光染料を溶解して粉砕した有機系顔料、銅、銀、マンガン等で活性化した硫化亜鉛、マンガン等で活性化したケイ酸亜鉛、銀、銅等で活性化した硫化亜鉛、カドミウム、ビスマス等で活性化した硫化カルシウム、サマリウム、セリウム等で活性化した硫化ストロンチウム、鉛等で活性化したタングステン酸カルシウム等の無機系蛍光顔料が挙げられる。１つの蛍光インキに含有される蛍光色材は、２種以上を混合して用いることも可能であるが、蛍光感向上等の観点から１種のみを用いることが好適である。
【００４２】
上記蛍光色材の含有量は、蛍光色材の種類や目的の色の濃度等に応じて任意に設計できるが、カラーインキ層１３の全構成材料に対して、１〜４０重量％が好ましく、より好ましくは２〜３０重量％である。
【００４３】
［添加剤］
蛍光インキ層１２には、必要に応じて、可塑剤、滑剤、沈降防止剤、分散剤、安定剤、充填剤、酸化防止剤、紫外線吸収剤、帯電防止剤、色別れ防止剤、香料、消臭剤等の添加剤を、本発明の効果を損なわない範囲内で含まれていてもよい。
【００４４】
＜カラーインキ層１３＞
カラーインキ層１３は、従来公知の溶剤系カラーインキ又は水性カラーインキを用いて形成できる。カラーインキ層１３を形成するインキは、例えば、バインダ樹脂と、非蛍光色材と、溶媒等とを含有し、バインダ樹脂や非蛍光色材が溶媒等に溶解又は分散したインキである。バインダ樹脂には、例えば、蛍光インキ層１２を構成するバインダ樹脂と同様の樹脂を適用することができる。そして、カラーインキ層１３は、蛍光インキ層１２と同様に、グラビア印刷法などの従来公知の印刷法により形成することができる。カラーインキ層１３には、蛍光インキ層１２と同様に、必要に応じて、可塑剤、滑剤、沈降防止剤、分散剤、安定剤、充填剤、酸化防止剤、紫外線吸収剤、帯電防止剤、色別れ防止剤、香料、消臭剤等の添加剤を、本発明の効果を損なわない範囲内で含まれていてもよい。
【００４５】
［非蛍光色材］
非蛍光色材としては、従来公知の非蛍光染料や非蛍光顔料を用いることが可能であり、特に非蛍光顔料を用いることが好適である。非蛍光顔料としては、無機顔料又は有機顔料を用いることができ、銅フタロシアニンブルー等の藍（青色）顔料、縮合アゾ系顔料などの赤顔料、アゾレーキ系顔料等の黄顔料等が例示できる。非蛍光顔料は、１種のみを用いてもよいし、２種以上を併用してもよい。
【００４６】
カラーインキ層１３の非蛍光色材は、その反射色が蛍光インキ層１２の蛍光色材の蛍光色と同系色となるものが選択されるが、例えば、カラーインキ層１３や蛍光インキ層１２以外のインキ層については任意の反射色を発現するものを用いてもよい。例えば、酸化チタン等の白顔料、カーボンブラック等の黒顔料、その他アルミフレーク、雲母（マイカ）等を非蛍光色材として用いることができる。
【００４７】
上記非蛍光顔料の含有量は、顔料の種類や目的の色の濃度等に応じて任意に設計できるが、カラーインキ層１３の全構成材料に対して、１〜５０重量％が好ましく、より好ましくは２〜４０重量％である。
【００４８】
＜蛍光色材と非蛍光色材との組み合わせ＞
上記のように、蛍光インキ層１２の蛍光色とカラーインキ層１３の反射色とは、互いに同系色とされる。かかる同系色を実現する蛍光色材と非蛍光色材との組み合わせの一例を以下に示す。
［例１］
蛍光色材；ローダミンＢ（蛍光色；赤橙色）
非蛍光色材；ベンズイミダゾロオレンジＨＬ（Ｐｉｇｍｅｎｔ  Ｏｒａｎｇｅ３６）
［例２］
蛍光色材；フルオレセイン（蛍光色；黄緑色）
非蛍光色材；フタロシアニングリーン（Ｐｉｇｍｅｎｔ  Ｇｒｅｅｎ７）
【００４９】
＜透明メジウム層１４，１５＞
透明メジウム層１４，１５は、従来公知の溶剤系インキ又は水性インキを用いて、グラビア印刷法などの従来公知の印刷法により形成できる。透明メジウム層１４，１５を形成するインキは、例えば、バインダ樹脂と、溶剤等とを含有し、色材を有さないインキ、又は透明性を損なわない色材を含有するインキである。バインダ樹脂には、例えば、蛍光インキ層１２を構成するバインダ樹脂と同様の樹脂を適用することができる。透明メジウム層１４，１５には、必要に応じて、可塑剤、滑剤、沈降防止剤、分散剤、安定剤、充填剤、酸化防止剤、紫外線吸収剤、帯電防止剤、色別れ防止剤、香料、消臭剤等の添加剤を、本発明の効果を損なわない範囲内で含まれていてもよい。なお、透明メジウム層１４，１５は、同じインキを用いて形成することができる。
【００５０】
＜オーバーコート層１６，１７＞
オーバーコート層１６，１７は、従来公知の溶剤系インキ又は水性インキを用いて、グラビア印刷法などの従来公知の印刷法により形成できる。当該インキに含まれるバインダ樹脂には、蛍光インキ層１２等と同種の樹脂を適用することができる。なお、オーバーコート層１７には、滑り性を付与することが好ましく、各種ワックス等の滑剤を添加することが好ましい。また、オーバーコート層１７を背面印刷層として機能させる場合には、例えば、酸化チタン等の白顔料を添加することができる。また、オーバーコート層１６にも、上記のように、透明性を損なわない範囲で滑剤を添加することができる。
【００５１】
上記構成を備えるラベル１０は、例えば、筒状体に成形されて、ペットボトル等の容器に装着される。ラベル基材１１としてシュリンク基材を用いた場合は、容器よりも直径が大きな筒状体に成形されて容器に外嵌され、その状態でスチームトンネル等を用いて加熱処理されることで熱収縮し、容器の形状に追従して装着される。ラベル基材１１としてストレッチ基材を用いた場合は、ストレッチラベラーを用いて容器に装着できる。ストレッチラベラーは、ラベル１０の筒状体を径方向に引っ張って伸張させた状態で容器に外嵌する。ラベル１０を容器に外嵌して引っ張り力を取り除くと、ラベル１０が弾性的に収縮し容器に追従して装着される。
なお、ラベル１０では、蛍光インキ層１２を厚塗りすることなく、例えば、１０μｍ以下の薄膜層とすることができるため、蛍光インキ層１２がラベル基材１１の変形に容易に追従することができるので、シュリンクラベルやストレッチラベルのようなラベルには特に好ましい。但し、ラベル１０は、これに限定されるものではなく、感圧接着剤を有するタックラベル、感熱接着剤を有する感熱ラベル、その他インモールドラベル、グル―ラベル、ロールラベル等であってもよい。
【００５２】
以上のように、ラベル１０は、カラーインキ層１３を蛍光インキ層１２が形成された領域の裏面側に重ねて形成し、蛍光インキ層１２の蛍光色とカラーインキ層１３の反射色とを同系色とした構成を備える。当該構成により、蛍光インキ層１２を厚塗りすることなく蛍光インキ層１２の蛍光色を発現させることができる。即ち、蛍光インキ層１２に重ね刷りされるカラーインキ層１３によって、蛍光色の色濃度が高くなり、また色目再現範囲が拡大して、意匠性の高いラベルを得ることができる。
【００５３】
また、蛍光インキ層１２とカラーインキ層１３との間に、ラベル基材１１や透明メジウム層（１４，１５）が設けられることにより、蛍光インキ層１２を透過した光の一部が蛍光インキ層１２とラベル基材１１や透明メジウム層との界面、又はラベル基材１１や透明メジウム層とカラーインキ層１３との界面で反射して再び蛍光インキ層１２に入射する光の量を増やすことができる。これにより、蛍光インキ層１２の蛍光色材の光吸収効率が向上し、蛍光感をさらに高めることができる。
【符号の説明】
【００５４】
１０  プラスチックラベル、１１  ラベル基材、１２  蛍光インキ層、１３  カラーインキ層、１４，１５  透明メジウム層、１６，１７  オーバーコート層。
【図１】
2014038283.tif 000003
【図２】
2014038283.tif 000004
【図３】
2014038283.tif 000005
【図４】
2014038283.tif 000006
【図５】
2014038283.tif 000007